(57)【特許請求の範囲】
【請求項１】
ガイドローラーと、ベルトコンベアーと、該ガイドローラーを駆動する電動機と該ベルトコンベアーを駆動する電動機とに電気的に接続する電子計算機もしくはプログラマブルロジックコントローラである制御ユニットと、を具え、繊維構造物を循環させて染色加工を行う染色装置の繊維構造物循環制御方法であって、
加工する繊維構造物の長さデータか重さデータの少なくともいずれかと、布帛の単位重量データと、を該制御ユニットに入力して自動的に計算し、
計算した結果に基づき信号を、該ガイドローラーを駆動する電動機の回転速度制御手段と、該ベルトコンベアーを駆動する電動機の回転速度制御手段と、に出力し、
該ガイドローラーを駆動する電動機と、該ベルトコンベアーを駆動する電動機とを一定の比例の回転速度で連動させ、かつ同期して回転させる
ことを特徴とする染色装置の繊維構造物循環制御方法。
【発明の詳細な説明】
【技術分野】
【０００１】
この発明は織物などの繊維構造物の染色加工法に関し、詳しくは繊維構造物の染色加工において、ガイドローラー、ベルトコンベアーを同期して駆動し、効率のよい加工をならしめる染色装置の繊維構造物循環制御方法に関する。
【背景技術】
【０００２】
図１にベルトコンベアーを具える布帛の染色装置の構造を開示する。染色装置１は、染色管１２と、ガイドローラー４と、ベルトコンベアー２と、を内設してなり、ガイドローラー４は電動機（図示しない）の駆動によって回転する。ベルトコンベアー２はベルトコンベアー駆動用の電動機（図示しない）の駆動によって回転する。
【０００３】
上述する染色装置１では、布帛３がガイドローラー４にガイドされてノズル５を通過して染色管１２に進入する。さらに、ベルトコンベアー２上に至り、ベルトコンベアーによって前進して循環する。
【０００４】
染料液Ｌはポンプ７によって加圧され、熱交換機８（温度を上げるか、下げる）を経てノズル５に至り噴射し、またはオーバーフローによって水流となり染色管１２に進入する布帛３を推す。
【０００５】
染色管１２から出力される布帛３は、ベルトコンベアー２上に至り、ベルトコンベアー２によって前進し、かつローラー４１とガイドローラー４を通過して循環し、上述する工程を繰り返す。
【０００６】
上述する循環の過程においては、制御ボックス９によって制御する。
【０００７】
染料液Ｌは染料と助剤とを含み、タンク１１に投入してポンプ７によって加圧されて染色装置１の染料液循環回路に注入される。染料液Ｌと布帛３とは循環しつつ熱交換機８による加熱、保温、温度降下の過程を経て、染料が布帛３に吸収されて製錬、染色、固定、水洗いなどの染色加工の効果が達成される。
【０００８】
前記ベルトコンベアー２とガイドローラー４とは、それぞれベルトコンベアー駆動電動機（図示しない）とガイドローラー駆動電動機（図示しない）の駆動によって回転する。布帛３は循環する過程において、１回ごとに循環する時間が、ベルトコンベアー２が前端から後端に至るまで布帛３を送る時間と同一でなければならない。即ち、両者の時間が同期していなければならない。さもなければ布帛３が絡まったり、詰まったりする。しかも、実際には、作業を行う度に染色する布帛の長さや重量が異なる。したがって、上述するように両者の時間を同期させなければ、染色工程に時間が掛かり、染色の工程を完成し難くなり、染色装置を順調に運転できなくなり、作業の効率が低くなる、などの問題が発生する。
【発明の概要】
【発明が解決しようとする課題】
【０００９】
この発明は、繊維構造物の染色加工において、ガイドローラーとベルトコンベアーとを同期して駆動し、効率のよい加工を得る染色装置の繊維構造物循環制御方法を提供することを課題とする。
【課題を解決するための手段】
【００１０】
そこで、本発明者は染色装置に見られる欠点に鑑み鋭意研究を重ねた結果、ガイドローラーとベルトコンベアーとを有する染色装置において、電気計算機か、もしくはプログラマブルロジックコントローラである制御ユニットを設けて該ガイドローラーと該ベルトコンベアーとの駆動を制御して同期させる染色装置の繊維構造物循環制御方法によって課題を解決でできる点に着眼し、係る知見に基づいて本発明を完成させた。
【００１１】
以下、この発明について説明する。
本発明の染色装置の繊維構造物循環制御方法は、
ガイドローラーと、ベルトコンベアーと、該ガイドローラーを駆動する電動機と該ベルトコンベアーを駆動する電動機とに電気的に接続する電子計算機もしくはプログラマブルロジックコントローラである制御ユニットと、を具え、繊維構造物を循環させて染色加工を行う染色装置の繊維構造物循環制御方法であって、
加工する繊維構造物の長さデータか重さデータの少なくともいずれかと、布帛の単位重量データと、を該制御ユニットに入力して自動的に計算し、
計算した結果に基づき信号を、該ガイドローラーを駆動する電動機の回転速度制御手段と、該ベルトコンベアーを駆動する電動機の回転速度制御手段と、に出力し、
該ガイドローラーを駆動する電動機と、該ベルトコンベアーを駆動する電動機とを一定の比例の回転速度で連動させ、かつ同期して回転させる
ことを特徴とする。
【発明の効果】
【００１３】
この発明による制御方法を応用した繊維構造物の染色装置は、繊維構造物である布帛の長さを固定する必要がない。即ち、布帛の長さ、もしくは重量にかかわらず、制御ユニットで自動的に計算して、ガイドローラーとベルトコンベアーの駆動を制御し、両者を同期して駆動させて布帛を循環させることができる。このため、染色装置の操作を自動化することができ、作業が簡易化することによって、生産の効果を大幅に高めるとともに、ランニングコストを低減できるという利便性を有する。
【図面の簡単な説明】
【００１４】
【図１】ベルトコンベアーを具える染色装置の構造を示した説明図である。
【図２】この発明による制御方法を示したブロック図である。
【発明を実施するための形態】
【００１５】
この発明は、繊維構造物の染色加工において、ガイドローラーとベルトコンベアーとを同期して駆動し、効率のよい加工を得る染色装置の繊維構造物循環制御方法を提供するものであって、ガイドローラーとベルトコンベアーとを有する染色装置において、電気計算機か、もしくはプログラマブルロジックコントローラである制御ユニットを設けて該ガイドローラーと該ベルトコンベアーとの駆動を制御して同期させる。係る制御方法を説明するために、具体的な実施例を挙げ、図面を参照にして以下に詳述する。
【実施例】
【００１６】
この発明による制御方法は、図１に開示する繊維構造物の染色装置に応用する。図面の開示によれば、染色装置１は、染色管１２と、ガイドローラー４と、ベルトコンベアー２と、を内設してなり、ガイドローラー４は電動機（図示しない）の駆動によって回転する。ベルトコンベアー２はベルトコンベアー駆動用の電動機（図示しない）の駆動によって回転する。
【００１７】
布帛３はガイドローラー４にガイドされてノズル５を通過して染色管１２に進入する。さらに、ベルトコンベアー２上に至り、ベルトコンベアー２によって前進して循環する。
【００１８】
染料液Ｌはポンプ７によって加圧され、熱交換機８（温度を上げるか、下げる）を経てノズル５に至り噴射し、またはオーバーフローによって水流となり染色管１２に進入する布帛３を推す。
【００１９】
染色管１２から出力される布帛３は、ベルトコンベアー２上に至り、ベルトコンベアー２によって前進し、かつローラー４１とガイドローラー４を通過して循環し、上述する工程を繰り返す。
【００２０】
上述する循環の過程においては、制御ボックス９によって制御する。制御ボックス９は電子計算機、もしくはプログラマブルロジックコントローラである制御ユニット９１を具える。
【００２１】
染料液Ｌは染料と助剤とを含み、タンク１１に投入してポンプ７によって加圧されて染色装置１の染料液循環回路に注入される。染料液Ｌと布帛３とは循環しつつ熱交換機８による加熱、保温、温度降下の過程を経て、染料が布帛３に吸収されて製錬、染色、固定、水洗いなどの染色加工の効果が達成される。
【００２２】
図２に、この発明による制御方法を開示する。制御ボックス９は電子計算機、もしくはプログラマブルロジックコントローラであって、ガイドローラー駆動電動機４０の回転速度制御手段と、ベルトコンベアー駆動電動機２０の回転速度制御手段とに電気的に接続する制御ユニット９１を具える。
【００２３】
電子計算機、もしくはプログラマブルロジックコントローラである制御ユニット９１は、加工する布帛の長さデータ９１１か重さデータ９１２の少なくともいずれかと、布帛のグラム／ヤード、即ち単位重量データ９１３と、を入力すると自動的に計算し、かつ計算した結果に基づき信号をガイドローラー駆動電動機４０の回転速度制御手段（例えば周波数変換器）と、ベルトコンベアー駆動電動機２０の回転速度制御手段（例えば周波数変換器）と、に出力する。このため、ガイドローラー駆動電動機４０と、ベルトコンベアー駆動電動機２０とは、一定の比例の回転速度で連動して回転し、ここからガイドローラー４の回転による布帛３へのガイドと、ベルトコンベアー２の駆動が同期して行われる。
【符号の説明】
【００２４】
１    染色装置
１１    タンク
１２    染色管
２    ベルトコンベアー
２０    ベルトコンベアー駆動電動機
３    布帛
４    ガイドローラー
４０    ガイドローラー駆動電動機
４１    ローラー
Ｌ    染色液
９    制御ボックス
９１    制御ユニット
９１１    長さデータ
９１２    重さデータ
９１３    単位重量データ
【図１】
0005982459.tif 000002
【図２】
0005982459.tif 000003